(57)【要約】【課題】着座者の体重のほとんどを支持する「座面」に着目し、着座した際に正しい座位姿勢となるように誘導し、その正しい座位姿勢を保持し、座り心地が良く安定感を有する座面を有する着座用クッションを提供する。【解決手段】着座用クッションは、可撓性を有する板状材からなる座面体を備え、座面体には、その厚さ方向に切り込みされた複数の切り込み線からなる着座変形部が設けられ、着座変形部は、着座者の座骨と対応する位置に配置された渦巻き状、同心円状又は同心多角形状の切り込み線からなる座骨支持部と、渦巻き状、同心円状又は同心多角形状の切り込み線の外周を取り巻くように配置された切り込み線からなる臀部・太腿裏支持部と、を有している。【選択図】図１
2020028553.tif 000002
【特許請求の範囲】
【請求項１】
可撓性を有する板状材からなる座面体を備えた着座用クッションであって、
前記座面体には、その厚さ方向に切り込みされた複数の切り込み線からなる着座変形部が設けられ、
前記着座変形部は、着座者の座骨と対応する位置に配置された渦巻き状、同心円状又は同心多角形状の切り込み線からなる座骨支持部と、
前記渦巻き状、同心円状又は同心多角形状の切り込み線の外周を取り巻くように配置された切り込み線からなる臀部・太腿裏支持部と、を有していることを特徴とする着座用クッション。
【請求項２】
前記着座変形部を構成する前記複数の切り込み線は、前記座面体の幅方向の中心線に対して線対称の切り込みパターン形状をなしていることを特徴とする請求項１に記載の着座用クッション。
【請求項３】
前記着座変形部を構成する前記複数の切り込み線のうち、前記座骨支持部を構成する切り込み線は、前記座面体の幅方向の中心線から離間して配置されていることを特徴とする請求項２に記載の着座用クッション。
【請求項４】
前記着座変形部を構成する前記複数の切り込み線のうち、前記臀部・太腿裏支持部を構成する切り込み線の少なくとも一部は、前記座面体の幅方向の中心線で連結して配置されていることを特徴とする請求項２又は３に記載の着座用クッション。
【請求項５】
前記着座変形部を構成する前記複数の切り込み線は、曲線であることを特徴とする請求項１〜４のいずれか１項に記載の着座用クッション。
【請求項６】
前記複数の切り込み線は、前記座面体の厚さ方向を貫通したものであることを特徴とする請求項１〜５のいずれか１項に記載の着座用クッション。
【請求項７】
前記座面体を構成する板状材は、硬度がＥ硬度（ＪＩＳ  Ｋ６２５３に準拠）で５〜８０である合成樹脂発泡体であることを特徴とする請求項１〜６のいずれか１項に記載の着座用クッション。
【請求項８】
前記座面体の下面側に、前記座面体を構成する板状材よりも軟質な合成樹脂発泡体、伸縮性シート及び伸縮性網状シートからなる群より選ばれる少なくとも１つの材料からなる座面支持体が積層されていることを特徴とする請求項１〜７のいずれか１項に記載の着座用クッション。
【請求項９】
前記座面支持体を構成する合成樹脂発泡体の硬度は５０〜４００Ｎ（ＪＩＳ  Ｋ６４００−２  Ａ法準拠）であることを特徴とする請求項８に記載の着座用クッション。
【請求項１０】
可撓性を有する板状体からなる座面体を備えた椅子用座面であって、
前記座面体には、その厚さ方向に切り込みされた複数の切り込み線からなる着座変形部が設けられ、
前記着座変形部は、着座者の座骨と対応する位置に配置された渦巻き状、同心円状又は同心多角形状の切り込み線からなる座骨支持部と、
前記渦巻き状、同心円状又は同心多角形状の切り込み線の外周を取り巻くように配置された切り込み線からなる臀部・太腿裏支持部と、を有していることを特徴とする椅子用座面。
【請求項１１】
前記着座変形部を構成する前記複数の切り込み線は、前記座面体の幅方向の中心線に対して線対称の切り込みパターン形状をなしていることを特徴とする請求項１０に記載の椅子用座面。
【請求項１２】
前記着座変形部を構成する前記複数の切り込み線のうち、前記座骨支持部を構成する切り込み線は、前記座面体の幅方向の中心線から離間して配置されていることを特徴とする請求項１１に記載の椅子用座面。
【請求項１３】
前記着座変形部を構成する前記複数の切り込み線のうち、前記臀部・太腿裏支持部を構成する切り込み線の少なくとも一部は、前記座面体の幅方向の中心線で連結して配置されていることを特徴とする請求項１１又は１２に記載の椅子用座面。
【請求項１４】
前記複数の切り込み線は、前記座面体の厚さ方向を貫通したものであることを特徴とする請求項１０〜１３のいずれか１項に記載の椅子用座面。
【請求項１５】
前記座面体の下面側に、前記座面体を構成する板状材よりも軟質な合成樹脂発泡体、伸縮性シート及び伸縮性網状シートからなる群より選ばれる少なくとも１つの材料からなる座面支持体が積層されていることを特徴とする請求項１０〜１４のいずれか１項に記載の椅子用座面。
【発明の詳細な説明】
【技術分野】
【０００１】
本発明は、椅子等の座面の上に載置して用いる着座用クッション及び椅子の座面に関し、特に、座位姿勢を正しい姿勢（良い姿勢）に保持することのできる着座用クッション及び椅子用座面に関する。
【０００２】
近年、コンピュータや情報通信等の技術革新やライフスタイルの変化により、仕事及び通常の生活において、椅子等に座って過ごしている座位時間が長時間化している。立っている立位姿勢と比べて、椅子に座った座位姿勢は背骨や骨盤の位置を適切な位置に保つことが難しい。それゆえ、長時間の座位姿勢は、骨の歪みや腰痛、肩こり、内臓機能の低下等の問題を生じさせやすく、健康に与える影響が大きい。また、悪い座位姿勢は集中力を低下させることも指摘されている。そのため、着座した際に正しい姿勢をとるための姿勢矯正具が種々提案されている。
【０００３】
例えば、特許文献１では、骨盤を正常な位置に保持するクッションとして、背伸ばし部と胸椎・腰椎支持部と骨盤収容部を備えた、椅子の背もたれ部と背中との間に入れるクッションが提案されている。また、特許文献２では、骨盤を立たせることを意識づけさせて正しい姿勢となるようにすることができる骨盤クッションとして、座部と一体的に立設された背凭れ部を有し、この背凭れ部の内部に着座者の骨盤中央を押圧する押圧体が埋め込まれている骨盤クッションが提案されている。
【先行技術文献】
【特許文献】
【０００４】
【特許文献１】特開２００６−９５２６２号公報
【特許文献２】特開２０１７−１１３３７２号公報
【発明の概要】
【発明が解決しようとする課題】
【０００５】
着座者の座位姿勢は、着座者の身体的特徴や健康状態等の内部要因もあるが、着座対象である椅子等の背もたれ及び座面、足を接地させる床面といった外部要因により導かれている。このうち、着座対象の「座面」は着座者の体重の約８０％を支えていることから、この座面が座位姿勢に与える影響は大きいものといえる。その点、特許文献１及び特許文献２に記載されたクッションは、いずれも、着座対象の座面ではなく、「背もたれ」に着目して開発されたものであり、主に背もたれ部の構造に関するものであった。
【０００６】
従って、本発明の目的は、着座者の体重のほとんどを支持する「座面」に着目し、着座した際に正しい座位姿勢となるように誘導し、その正しい座位姿勢を保持し、座り心地が良く安定感がある座面を有する着座用クッション及び椅子用座面を提供することにある。
【課題を解決するための手段】
【０００７】
本発明者らは、上記課題を解決すべく鋭意検討した結果、以下のことを見出した。いわゆる、正しい座位姿勢とは、図１２に示すように、骨盤Ｐが後ろ側に倒れず、骨盤Ｐが起きた（立った）状態である。このとき、重心は骨盤Ｐと床面に着地している足裏との間である支持基底面Ｇ内に位置しており、バランスがよく安定している。他方、悪い座位姿勢とは骨盤が後ろ側に傾いた骨盤後傾姿勢であるが、このとき重心は体の中心とは離れた骨盤の後方に位置することになるため、不安定な姿勢となる。それゆえ、頭を前に出してバランスをとろうとするため、背骨が曲がった猫背姿勢をとってしまう。ここで、骨盤Ｐが前側に傾いた骨盤前傾姿勢の場合には、重心は支持基底面Ｇ内に位置するため、骨盤後傾姿勢と比べるとバランスは安定している。このとき、さらにバランスを安定させようと上半身を全体的に後ろ側に倒そうとするが、これにより骨盤Ｐが起きた（立った）姿勢となる。これらのことから、着座時に骨盤直立姿勢または骨盤前傾姿勢を導くことにより、正しい座位姿勢を誘導できることがわかった。また、骨盤の姿勢は座面の剛性（硬さ）と関係しており、座面の剛性が大きい（硬い）ほど骨盤前傾姿勢に誘導されやすく、座面の剛性が小さい（柔らかい）ほど骨盤後傾姿勢に誘導されやすいことがわかった。しかしながら、骨盤前傾姿勢を誘導しようとして剛性が大きく硬い座面を選択すると、硬い座面は着座時の接触面積が小さいため、骨盤前傾姿勢を継続して保ち難く、姿勢保持が不安定になる。これらのことから、着座時に骨盤前傾姿勢を安定して実現するためには、座面の剛性を高めるとともに着座時の接触面積を大きくすることが有効であると考えられた。この着座時の接触面積を大きくするにあたっては、座面の剛性を小さく（柔らかく）することが有効とも思われるが、座面を柔らかくすると、骨盤の角度が定まりにくく、前述したように骨盤後傾姿勢が誘導されて姿勢が悪くなるため、座面の剛性と接触面積はトレードオフの関係にある。そこで、これらの知見に基づきさらに研究を進め、着座面の剛性と接触面積とを両立し、骨盤前傾姿勢の形成と保持を実現する手段を見出し、本発明を完成するに至った。
【０００８】
上記課題を解決するため、本発明の着座用クッションは、可撓性を有する板状材からなる座面体を備えた着座用クッションであって、この座面体には、その厚さ方向に切り込みされた複数の切り込み線からなる着座変形部が設けられ、着座変形部は、着座者の座骨と対応する位置に配置された渦巻き状、同心円状又は同心多角形状の切り込み線からなる座骨支持部と、渦巻き状、同心円状又は同心多角形状の切り込み線の外周を取り巻くように配置された切り込み線からなる臀部・太腿裏支持部とを有している。
【０００９】
これにより、着座者の体型や体重に追従して、座面体に切り込み形成された着座変形部が下方に押出変形される。なお、この「押出変形」には、荷重が負荷された着座変形部が、座面体を厚み方向に貫通する切り込み線に基づいて下方にスライドするように押出されて変形すること、及び、荷重が負荷された着座変形部が、非貫通（ハーフカット）の切り込み線に基づいて下方に撓むように押出されて変形することを含んでいる。着座変形部は座骨支持部と臀部・太腿裏支持部とを有しているところ、着座者の座骨と対応する位置に配置されている座骨支持部は、着座者の骨盤を正しい座位姿勢に導くように押出変形され、座骨支持部の外周に配置された臀部・太腿裏支持部は、着座者の臀部・太腿裏における座面体との接触面積を大きくさせて座位姿勢を安定させ、座り心地も高める。それゆえ、着座者を正しい座位姿勢に誘導し、座位姿勢を安定させるため、着座者に正しい座位姿勢を長時間保持させることができる。
【００１０】
また、着座用クッションの座面体の着座変形部を構成する複数の切り込み線は、この座面体の幅方向の中心線に対して線対称の切り込みパターン形状をなしていることも好ましい。これにより、切り込み線が線対称に配置されるため、左右バランスの良い着座変形部の押出変形がなされる。
【００１１】
また、座面体の着座変形部を構成する複数の切り込み線のうち、座骨支持部を構成する切り込み線は、座面体の幅方向の中心線から離間して配置されていることも好ましい。これにより、着座者が座面体に座った状態で左右のいずれか一方に重心を移動させる等して、座骨支持部にかかる荷重が左右で変化した場合であっても、荷重負荷が大きくなった部分のみを下方に押出変形するように構成することができる。それゆえ、着座者の座骨と座骨支持部とのフィット性が高まり、着座者の座骨を安定的に支持することができ、正しい座位姿勢を保持することができる。
【００１２】
また、座面体の着座変形部を構成する複数の切り込み線のうち、臀部・太腿裏支持部を構成する切り込み線の少なくとも一部は、座面体の幅方向の中心線で連結して配置されていることも好ましい。これにより、着座者の臀部・太腿裏における座面体との接触面積をさらに大きくさせて座位姿勢を安定させ、座り心地も高めることができる。
【００１３】
また、座面体の着座変形部を構成する複数の切り込み線は、曲線であることも好ましい。これにより、座面体がスムーズに押出変形されやすくなるため、着座者の荷重による座面体の押出変形が実現される。
【００１４】
また、座面体の着座変形部を構成する複数の切り込み線は、この座面体の厚さ方向を貫通したものであることも好ましい。これにより、座面体の押出変形がより円滑になされるため、着座者の体型に追従した座面体の押出変形が実現される。
【００１５】
また、座面体を構成する板状材は、硬度がＥ硬度（ＪＩＳ  Ｋ６２５３に準拠）で５〜８０である合成樹脂発泡体であることも好ましい。これにより、着座者の体型や体重に追従して、座面体の着座変形部が下方へ押出変形されて正しい座位姿勢に誘導した状態において、座面体の上面のさらなる変形が抑制されるため、骨盤の角度が定まり、座位姿勢をより安定的に保持することができる。
【００１６】
また、本発明の着座用クッションは、座面体の下面側に、この座面体を構成する板状材よりも軟質な合成樹脂発泡体、伸縮性シート及び伸縮性網状シートからなる群より選ばれる少なくとも１つの材料からなる座面支持体が積層されていることも好ましい。これにより、荷重時の座面体の押出変形量を座面支持体により調整することができる。また、着座者が立ち上がる等してクッションに荷重を負荷しなくなった際には、座面体の押出変形された部分が座面支持体により押し返されるため、座面体の変形が容易に復元され、表面が平坦な状態となり、次の着座による荷重負荷に備えることができる。
【００１７】
また、座面支持体を構成する合成樹脂発泡体の硬度は５０〜４００Ｎ（ＪＩＳ  Ｋ６４００−２  Ａ法準拠）であることも好ましい。これにより、座面支持体を構成する合成樹脂発泡体として好適なものが選択される。
【００１８】
また、本発明の椅子用座面は、可撓性を有する板状材からなる座面体を備えた椅子用座面であって、この座面体には、その厚さ方向に切り込みされた複数の切り込み線からなる着座変形部が設けられ、着座変形部は、着座者の座骨と対応する位置に配置された渦巻き状、同心円状又は同心多角形状の切り込み線からなる座骨支持部と、渦巻き状、同心円状又は同心多角形状の切り込み線の外周を取り巻くように配置された切り込み線からなる臀部・太腿裏支持部とを有している。これにより、着座者の体型や体重に追従して、座面体に切り込み形成された着座変形部が下方に押出変形される。着座変形部は座骨支持部と臀部・太腿裏支持部とを有しているところ、着座者の座骨と対応する位置に配置されている座骨支持部は、着座者の骨盤を正しい座位姿勢に導くように押出変形され、座骨支持部の外周に配置された臀部・太腿裏支持部は、着座者の臀部・太腿裏における座面体との接触面積を大きくさせて座位姿勢を安定させ、座り心地も高める。それゆえ、着座者を正しい座位姿勢に誘導し、座位姿勢を安定させて正しい座位姿勢を保つことができる。
【００１９】
また、椅子用座面の座面体の着座変形部を構成する複数の切り込み線は、この座面体の幅方向の中心線に対して線対称の切り込みパターン形状をなしていること、着座変形部を構成する複数の切り込み線のうち、座骨支持部を構成する切り込み線は、座面体の幅方向の中心線から離間して配置されていること、着座変形部を構成する複数の切り込み線のうち、臀部・太腿裏支持部を構成する切り込み線の少なくとも一部は、座面体の幅方向の中心線で連結して配置されていること、複数の切り込み線は、座面体の厚さ方向を貫通したものであること、座面体の下面側に、座面体を構成する板状材よりも軟質な合成樹脂発泡体、伸縮性シート及び伸縮性網状シートからなる群より選ばれる少なくとも１つの材料からなる座面支持体が積層されていることも好ましい。
【発明の効果】
【００２０】
本発明によれば、以下のような優れた効果を有する着座用クッション及び椅子用座面を提供することができる。
（１）着座者を正しい座位姿勢に誘導し、座位姿勢を安定させ、正しい座位姿勢を保持させることができる。
（２）座面体との接触面積が大きいため、安定性が高く、座り心地が良い。
（３）可撓性を有する板状体に所定の切り込み線を設けることにより座面体が得られるため、簡単かつ安価に製造することができる。
【図面の簡単な説明】
【００２１】
【図１】本発明の第一の実施形態における着座用クッションの構成を概略的に示す分解斜視図である。
【図２】図１の着座用クッションにおける座骨支持部を説明する平面図（上側から見た図）である。
【図３】図１の着座用クッションにおける臀部・太腿裏支持部を説明する平面図である。
【図４】図２及び図３の（ａ）Ａ−Ａ線断面図、（ｂ）Ｂ−Ｂ線断面図及び（ｃ）Ｃ−Ｃ線断面図である。
【図５】図１の着座用クッションの（ａ）使用状態の斜視図及び（ｂ）Ｄ−Ｄ線断面図である。
【図６】着座変形部のうち、主に座骨支持部を形成する切り込み線の他のパターンを示す図である。
【図７】着座変形部のうち、主に座骨支持部を形成する切り込み線の他のパターンを示す図である。
【図８】着座変形部のうち、主に臀部・太腿裏支持部を形成する切り込み線の他のパターンを示す図である。
【図９】本発明の第二の実施形態における椅子用座面の構成を概略的に示す斜視図である。
【図１０】実施例及び比較例における評価試験に用いた（ａ）評価装置の構成を概略的に示す図及び（ｂ）評価装置のうちの臀部模型の臀部側を示す図である。
【図１１】実施例で作成した着座用クッションの座面体の切り込み線のパターンを示す図である。
【図１２】良い着座姿勢を示す説明図である。
【発明を実施するための形態】
【００２２】
以下、本発明に係る着座用クッションの実施形態を、図を参照して説明する。
【００２３】
図１に示すように、第１の実施形態にかかる着座用クッション１は、平板状の座面体２と、その下面側に平板状の座面支持体６とが積層されて構成されている。なお、本明細書において上下方向とは、着座用クッション１を椅子や床等に設置して使用する状態での上下方向、すなわち、図１における上下方向をいい、本明細書において左右方向とは、着座用クッション１を使用する状態での左右方向であり、着座用クッション１の幅方向と同一である。また、着座用クッション１の使用方向は、図１、図５における奥側が太腿（脚）方向、手前側が臀部方向である。
【００２４】
本実施形態にかかる着座用クッション１を構成する座面体２について以下詳述する。図１〜図５に示すように、本実施形態に係る着座用クッション１の座面体２は所定の厚みを有する板状材から形成されており、座面体２には、その厚さ方向に貫通した複数の切り込み線３が設けられている。切り込み線３は、着座者の座骨Ｈと対応する位置に配置された渦巻き状の座骨支持部切り込み線３ａと、この渦巻き状の切り込み線３ａの外周を取り巻くように配置された円弧状の臀部・太腿裏支持部切り込み線３ｂとから構成されている。座面体２に設けられたこれら複数の切り込み線３により、着座者の体重や体型に追従して下方に押出変形される着座変形部４が形成されており、より具体的には、座骨支持部切り込み線３ａにより座骨支持部４ａが形成され、臀部・太腿裏支持部切り込み線３ｂにより臀部・太腿裏支持部４ｂが形成されている。
【００２５】
本発明における座面体２を形成する板状体としては、可撓性を有する材料であれば特に限定されないが、樹脂発泡体、合成樹脂板及び合成木板が好適に用いられる。このうち、軽量で取り扱いしやすく、スリット加工も容易である観点から、樹脂発泡体が好適に選択される。具体的には、例えば、ポリエチレン発泡体、ポリウレタン発泡体、ポリオレフィン発泡体又はシリコーン発泡体等が好適に用いられる。また、本発明において、座面体２を形成する板状体は、着座時に骨盤後傾姿勢をとることを防ぎ、骨盤直立姿勢又は骨盤前傾姿勢を導くとともに安定的に姿勢保持する観点から、一般的な着座用クッションに用いられるクッション材よりも硬度が大きいものが好適に選択される。具体的には、ＪＩＳ  Ｋ６２５３に準拠して測定されたタイプＥ硬度が、５〜８０であるものが好ましく、１０〜７０であるものがより好ましく、２０〜６０であるものが特に好ましい。この硬度範囲とすることによって、着座変形部４が下方へ押出変形されて正しい座位姿勢に誘導した状態において、座面体の上面のさらなる変形が抑制されるため、骨盤の角度が定まり、座位姿勢をより安定的に保持することができる。本実施形態では、一例として、座面体２はＥ硬度が４０（ＪＩＳ  Ｋ６２５３に準拠）のポリエチレン発泡体から形成されている。座面体２を形成する板状体の厚さは、着座変形部４が下方に押出変形されて座面体２の上面が着座者の座骨や臀部・太腿の形状に合った形状に変形し、着座者の姿勢を支持する観点から、１０ｍｍ以上とすることが好ましく、１５ｍｍ〜３０ｍｍであることがより好ましい。
【００２６】
次に、座骨支持部４ａ及びそれを形成する座骨支持部切り込み線３ａについて説明する。図２は、座面体２に設けられた複数の切り込み線３のうち、座骨支持部４ａを形成する座骨支持部切り込み線３ａを実線で示し、臀部・太腿裏支持部４ｂを形成する臀部・太腿裏支持部切り込み線３ｂを破線で示した説明図である。図２に示すように、座面体２の座骨支持部４ａは、着座者の座骨Ｈと対応する位置に配置され、着座者の座骨Ｈを支持するように構成されている。座骨支持部４ａは、座面体２の厚さ方向に貫通した切り込み線３ａから形成されており、本実施形態における座骨支持部４ａは、一対の渦巻き状の座骨支持部切り込み線３ａにより形成されている。この座骨支持部切り込み線３ａにより構成された座骨支持部４ａは、着座による荷重負荷により着座者の座骨形状に追従して下方に押出変形された結果、座面体２の上面が着座者の骨盤が直立又は前傾状態となるような形状に変形して着座者の座骨Ｈを安定的に支持し、骨盤が後傾するのを抑制する。この骨盤後傾抑制作用は、座骨支持部４ａの押出変形後の反発性（硬度に相当）が大きいほど顕著となり、押出変形後の反発性は、座骨支持部切り込み線３ａのパターンによって調整することができる。座骨支持部４ａは、着座者の座骨Ｈに対応する大きさに形成され、例えば幅方向の大きさとしては１５０ｍｍ〜２５０ｍｍの範囲、奥行き方向の大きさとしては７０ｍｍ〜１５０ｍｍの範囲の大きさで形成されることが好ましい。また、本実施形態において、座骨支持部４ａを構成する一対の渦巻き状の切り込み線３ａは、図２に示すように、２つの渦巻き形状の中心Ｍ間の距離が、着座者の座骨Ｈの座骨結節Ｉの最突部間の長さＬに対応するように配置されることが好ましい。座骨結節Ｉの最突部間の長さＬは、性別や体格などによって変化するが、一般的には８０ｍｍ〜１４０ｍｍ程度であり、予め複数のサイズで配置形成したものから使用者が自己の座骨のサイズに応じて選択してもよいし、使用者ごとにカスタマイズして配置形成することも可能である。また、渦巻き状の切り込み線３ａの隣接する線との間には帯状部５が形成されているが、切り込み線３ａの間隔が狭すぎると渦巻き線が密となって座骨支持部４ａの硬度が小さくなる（押出変形量が多くなる）ため着座姿勢が不安定となり、切り込み線３ａの間隔が広すぎると帯状部５の帯幅が広くなりすぎて座骨支持部４ａが押出変形し難くなって身体へのフィット性が劣る観点から、帯状部５の幅は５ｍｍ〜５０ｍｍが好ましく、１０ｍｍ〜３０ｍｍがより好ましい。
【００２７】
図２に示すように、本実施形態における座骨支持部切り込み線３ａは、座面体２の幅方向の中心線Ｓに対して線対称の切込みパターン形状をなしている。これにより、左右対称に切り込み線３ａが配置されているため、左右バランスよく座骨支持部４ａの押出変形がなされ、着座者の座骨が安定的に支持される。また、図２及び図４（ｃ）に示すように、本実施形態における座骨支持部切り込み線３ａは、座面体２の幅方向の中心線Ｓから離間して配置されている。これにより、着座者が座面体２に座った状態で左右のいずれか一方に重心を移動させる等して、座骨支持部４ａにかかる荷重が左右で変化した場合であっても、荷重負荷が大きくなった部分のみを下方に押出変形するように構成することができる。それゆえ、着座者の座骨と座骨支持部４ａとのフィット性が高まり、着座者の座骨を安定的に支持することができる。
【００２８】
また、本実施形態に示す座骨支持部４ａ及びそれを形成する座骨支持部切り込み線３ａは、図２に示すように一対の渦巻き状の切り込みパターン形状として形成され、その渦巻き形状は１つの曲線による二重を超える渦巻きパターンが選択されているが、上述と同様の作用効果を有する切り込みパターン形状として、図２で示した形状以外の渦巻き状、同心円状又は同心多角形状の切り込みパターン形状を選択することも可能である。一例として、図６及び図７に座骨支持部切り込み線３ａの他の切り込みパターン形状を示している。なお、図６及び図７では、図２と同様に、座骨支持部４ａを形成する座骨支持部切り込み線３ａを実線で示し、臀部・太腿裏支持部４ｂを形成する臀部・太腿裏支持部切り込み線３ｂを破線で示している。例えば、図６（ａ）には、座骨支持部切り込み線３ａとして、一対の渦巻き状切り込み線が座面体２の幅方向の中心線Ｓで連結した切り込みパターンが示されており、図６（ｂ）には、座骨支持部切り込み線３ａとして、一対の渦巻き状の切り込みパターン形状であるが、渦巻き形状が複数の曲線から構成された一重未満の渦巻き状であるものが示されている。また、図６（ｃ）には、渦巻き線が折れ線から構成されているものが示されている。さらに、図６（ｄ）及び図６（ｅ）には、座骨支持部切り込み線３ａが同心円状の切り込みパターン形状として構成されるものの一例が示されており、２つの同心円が幅方向の中心線Ｓ近傍で連結した形状の切り込みパターン形状が示されている。この図６（ｄ）及び図６（ｅ）で示される切り込みパターン形状では、座骨支持部切り込み線３ａは一対の切り込みパターンから構成されず、一体の切り込みパターンとして構成されている。また、図７（ａ）には座骨支持部切り込み線３ａが一対の同心円状の切り込みパターン形状として形成されるものの例が示されており、図７（ｂ）には、座骨支持部切り込み線３ａが、渦巻きと同心円とを組み合わせて構成された一対の切り込みパターン形状として形成されるものが示されている。また、図７（ｃ）及び図７（ｄ）には、座骨支持部切り込み線３ａが、同心多角形状の切り込みパターン形状として形成されるものの例が示されている。なお、座骨支持部切り込み線３ａは、座骨支持部４ａが着座者の座骨形状に追従して下方にスムーズに押出変形されるように、座面体２の厚さ方向を貫通する切り込み線として形成されることが好ましいが、部分的に又は全体的に座面体２の厚さ方向を貫通しないハーフカット線として形成することも可能である。例えば、座骨支持部切り込み線３ａが同心円状又は同心多角形状の切り込みパターンを含むものである場合（例：図６（ｄ）、図６（ｅ）、図７（ａ）〜（ｄ））、切り込み線３ａを部分的に又は全体的にハーフカット線とすることにより、使用時に座面体２から座骨支持部４ａが脱落してしまうことを防ぐことができる。なお、ハーフカット線とした場合には、座骨支持部４ａが撓み変形または押出変形し易いように、座面体２の下面側にハーフカット線を設けることが好ましい。
【００２９】
次に、臀部・太腿裏支持部４ｂ及びそれを形成する臀部・太腿裏支持部切り込み線３ｂについて説明する。図３は、座面体２に設けられた複数の切り込み線３のうち、臀部・太腿裏支持部４ｂを形成する臀部・太腿裏支持部切り込み線３ｂを実線で示し、座骨支持部４ａを形成する座骨支持部切り込み線３ａを破線で示した説明図である。図３に示すように、座面体２の臀部・太腿裏支持部４ｂは、座骨支持部４ａの外周に配置され、着座者の臀部及び太腿裏を支持するように構成されている。臀部・太腿裏支持部４ｂは、座面体２の厚さ方向に貫通した切り込み線３ｂから形成されており、本実施形態における臀部・太腿裏支持部４ｂは、一対の渦巻き状の座骨支持部切り込み線３ａを取り巻くように配置された複数の円弧状の臀部・太腿裏支持部切り込み線３ｂより形成されている。また、臀部・太腿裏支持部４ｂは、着座者の臀部に対応する位置に配置されている臀部支持部４ｂ２と、着座者の太腿裏に対応する位置に配置されている太腿裏支持部４ｂ１を備えている。この臀部・太腿裏支持部切り込み線３ｂにより構成された臀部・太腿裏支持部４ｂは、着座による荷重負荷により着座者の臀部及び太腿裏の形状に追従して下方に押出変形されるため、着座者の体型に合った形状に変形して着座者の臀部・太腿裏における座面体２との接触面積を大きくさせて座位姿勢を安定させ、座り心地を高める。臀部・太腿裏支持部４ｂは、着座者の臀部及び太腿裏に対応できる大きさに形成され、例えば幅方向の大きさとしては２００ｍｍ〜５００ｍｍの範囲、奥行き方向の大きさとしては２００ｍｍ〜４００ｍｍの範囲の大きさで形成されることが好ましい。また、切り込み線３ｂの隣接する線との間には帯状部５が形成されているが、切り込み線３ｂの間隔が狭すぎると線どうしの間隔が密となって臀部・太腿裏支持部４ｂの硬度が小さくなる（押出変形量が多くなる）ため着座姿勢が不安定となり、切り込み線３ｂの間隔が広すぎると帯状部の帯幅が広くなり、臀部・太腿裏支持部４ｂが押出変形し難くなって身体へのフィット性が劣る観点から、５ｍｍ〜５０ｍｍが好ましく、１０ｍｍ〜３０ｍｍがより好ましい。
【００３０】
図３に示すように、本実施形態における臀部・太腿裏支持部切り込み線３ｂは、座面体２の幅方向の中心線Ｓに対して円弧が対向配置された線対称の切込みパターン形状をなしている。これにより、左右対称に切り込み線３ｂが配置されているため、左右バランスよく臀部・太腿裏支持部４ｂの押出変形がなされ、着座者の臀部や太腿が安定的に支持される。また、図３及び図４（ｃ）に示すように、本実施形態における臀部・太腿裏支持部４ｂを構成する複数の切り込み線３ｂのうち、太腿裏を支持する太腿裏支持部４ｂ１を構成する切り込み線は、座面体２の幅方向の中心線Ｓで連結して配置されている。これにより、着座者の太腿裏における座面体２との接触面積をさらに大きくさせて座り心地を高め、座位姿勢を安定させることができる。
【００３１】
本実施形態に示す臀部・太腿裏支持部４ｂ及びそれを形成する臀部・太腿裏支持部切り込み線３ｂは、図３に示すように、渦巻き状の座骨支持部切り込み線３ａの外周を取り巻くように所定間隔で配置された複数の曲線が、座面体２の幅方向の中心線Ｓに対して線対称に配置されてなる切り込みパターン形状が選択されている。切り込みパターン形状は、具体的には、座骨支持部切り込み線３ａに近い方から２つはＣ字状の円弧が配置され、中心線Ｓに対して線対称に配置された逆Ｃ字状の円弧とは連結されずに中心線Ｓから離間しており、Ｃ字状の円弧の外方に配置された５つの円弧状の曲線は中心線Ｓに対して線対称に配置された各円弧とそれぞれ連結された結果、全体として略Ｍ字状の曲線が５つ配置された切り込みパターン形状をとっている。このように、本実施形態では、上述した複数の円弧状の曲線からなる切り込みパターン形状が選択されているが、上述と同様の作用効果を有する切り込みパターン形状として、図３で示した形状以外の切り込みパターン形状を選択することも可能である。一例として、図８に臀部・太腿裏支持部切り込み線３ｂの他の切り込みパターン形状を示している。なお、図８では、図３と同様に、図３は、臀部・太腿裏支持部４ｂを形成する臀部・太腿裏支持部切り込み線３ｂを実線で示し、座骨支持部４ａを形成する座骨支持部切り込み線３ａを破線で示している。例えば、図８（ａ）及び図８（ｂ）には、臀部・太腿裏支持部切り込み線３ｂとして、座面体２の幅方向の中心線Ｓに対して線対称に配置されたＣ字状の円弧が中心線Ｓ近傍で連結されている切り込みパターン形状が示されており、図８（ａ）ではＣ字状の臀部・太腿裏支持部切り込み線３ｂは、手前側（臀部支持部４ｂ２側）がそれぞれ連結されて全体として略逆Ｍ字状の曲線を２つ形成するとともに、奥側（太腿裏支持部４ｂ１側）の円弧状の曲線がそれぞれ連結されて全体として略Ｍ字状の曲線を５つ形成しており、図８（ｂ）では３つのＣ字状の臀部・太腿裏支持部切り込み線３ｂは、奥側の１つのみ（太腿裏支持部４ｂ１側のみ）が連結されて全体として略Ｍ字状の曲線を１つ形成し、さらにその奥側に円弧状の曲線がそれぞれ連結されて全体として略Ｍ字状の曲線を３つ形成している例が示されている。また、図８（ｃ）には、臀部・太腿裏支持部切り込み線３ｂとして、Ｃ字状の円弧が線対称に配置されたパターンのみからなり、奥側（太腿裏支持部４ｂ１側）の１つのみが連結されて全体として略Ｍ字状の曲線を１つ形成する切り込みパターン形状が示されており、図８（ｄ）では、図８（ｃ）とほぼ同様の構成であるが切り込み線が曲線でなく折れ線から構成された例が示されている。さらに、図８（ｅ）及び図８（ｆ）では、臀部・太腿裏支持部切り込み線３ｂとして、いずれの切り込み線も中心線Ｓから離間配置されている切り込みパターンの例が示されている。このように、臀部・太腿裏支持部切り込み線３ｂは、Ｃ字状や円弧状の曲線若しくは折れ線を単独で又は組み合わせて切り込みパターン形状とすることができる。なお、臀部・太腿裏支持部切り込み線３ｂは、臀部・太腿裏支持部４ｂが着座者の臀部又は太腿形状に追従して下方にスムーズに押出変形するように、座面体２の厚さ方向を貫通する切り込み線として形成されることが好ましいが、部分的に又は全体的に座面体２の厚さ方向を貫通しないハーフカット線として形成することも可能である。例えば、臀部・太腿裏支持部４ｂのうち、太腿裏支持部４ｂ１に対応する奥側の切り込み線３ｂのみを部分的に又は全体的にハーフカット線とすることも可能である。なお、ハーフカット線とした場合には、臀部・太腿裏支持部４ｂが撓み変形または押出変形し易いように、座面体２の下面側にハーフカット線を設けることが好ましい。
【００３２】
次に、本実施形態にかかる着座用クッション１を構成する座面支持体６について説明する。本実施形態に係る着座用クッション１の座面支持体６は、上述した座面体２の下面側に積層された平板状のクッション材である。座面支持体６は、上層に位置する座面体２の着座変形部４の押出変形を可能とすると共に、座面体２の押出変形量（変形しやすさ、すなわち見かけの硬さ）を調整する機能と、着座状態が解消された際に、座面体２の下方に押出変形された着座変形部４を上側に押し戻して、座面体２の変形形状を復元する機能、及び、着座者の荷重を安定的に支持して着座者の座り心地を高める機能も有している。座面支持体６を構成する材料としては、座面体２の着座変形部４の押出変形を可能とするため、座面体２よりも柔らかく硬度が小さい材料、または伸縮変形可能な材料が選択され、合成樹脂発泡体、伸縮性シート及び伸縮性網状シートから好適に選択される。具体的には、合成樹脂発泡体の場合には、ＪＩＳ  Ｋ６４００−２  Ａ法に準拠して測定された硬度が、５０〜４００Ｎであるものが好ましく、１００〜３００Ｎであるものがより好ましく、１２０〜２５０Ｎであるものが特に好ましい。材料の硬度がこの範囲にあることにより、上記機能がより良好に発揮される。座面支持体６として選択される伸縮性シートや伸縮性網状シートは、上記機能を発現できるものであれば特に限定されないが、引張強さ、引張応力、切断時伸びなどの変形特性の観点から好適なものを選択すればよい。一例として、本実施形態では、座面支持体６は硬度が１２０Ｎ（ＪＩＳ  Ｋ６４００−２  Ａ法に準拠）のポリウレタン発泡体から形成されている。座面体２と座面支持体６との積層面は、着座解消時に、座面体２の着座変形部４による押出変形を座面支持体６が押し戻して復元させる機能を発現させるため、両者は密着して積層されていることが好ましい。また、座面支持体６における、座面体２の着座変形部４による押出変形を受け止める領域の硬度を、座面支持体６にスリット、パンチング(穴あけ)を個別に施して適宜調整することも可能である。
【００３３】
上述した着座用クッション１は、樹脂発泡体等の板状体に対し、複数の切り込み線３を形成するトムソン刃を備えるトムソン型等を用いてプレス加工やその他の各種加工手段によって座面体２を形成したのち、座面支持体６と積層させるのみで製造することができる。また座面体２と座面支持体６とを接着して積層してもよく、座面支持体６が伸縮性シートや伸縮性網状シートである場合には、座面体２と接着することが好ましい。
【００３４】
次に、図５を参照しつつ、本実施形態にかかる着座用クッション１の作用を説明する。図５（ａ）は、本実施形態に係る着座用クッション１に着座した使用状態を示しており、図５（ｂ）は図５（ａ）のＤ−Ｄ線断面図を示している。図５（ａ）に示すように、着座用クッション１の座面体２の上に着座すると、着座者の座骨と対応する位置に設けられた座骨支持部切り込み線３ａにより構成された座骨支持部４ａが、着座による荷重負荷により着座者の座骨形状に追従して下方に押出変形される。図５（ｂ）に示すように、押出変形は、隣接する切り込み線３ａ間に形成される帯状部５が下方にスライドすることにより行われる。この座骨支持部４ａの押出変形により、座面体２の上面は、着座者の座骨を安定的に支持し、着座者の骨盤を直立状態又は前傾状態に支持可能な形状に変形する。これにより、着座者の骨盤が後傾するのを抑制し、正しい座位姿勢を保持させる。そして、臀部・太腿裏支持部切り込み線３ｂにより構成された臀部・太腿裏支持部４ｂが、着座による荷重負荷により着座者の臀部及び太腿裏の形状に追従して下方に押出変形される。図５（ｂ）に示すように、押出変形は、隣接する切り込み線３ｂ間に形成される帯状部５が下方にスライドすることにより行われる。この臀部・太腿裏支持部４ｂの押出変形により、座面体２の上面は、着座者の臀部や太腿裏を安定的に支持し、着座者の臀部及び太腿裏における座面体２との接触面積を大きくさせて座り心地を高める。これにより、疲れにくく、正しい座位姿勢を長時間保持することができる。
【００３５】
なお、本実施形態における座面体２は、平板状な板状体から形成されているが、臀部や腿部の形状に併せて適度に湾曲した形状や凹凸が形成された形状とすることも可能である。また、本実施形態では、座面体２の外形は長方形状であるが、円形、楕円形又は正方形等の任意の形状を選択することができる。また、座面体２上に複数の着座変形部４を備えたものとすることもでき、例えば、長椅子やベンチ上に載置して使用できるよう、横長の座面体２上に着座変形部４を一定間隔で複数配置したものとすることも可能である。さらに、座面体２の着座変形部４の作用及び機能を損なわない範囲において、座面体２の上に合成樹脂発泡体などから形成された表層を積層し、座り心地（感触）をさらに向上させることもできる。
【００３６】
以下、第２の実施形態に係る椅子用座面１０について説明する。図９に示すように、本発明の第２の実施形態にかかる椅子用座面１０は、平板状の座面体２と、その下面側に平板状の座面支持体６とが積層されて構成されている。本実施形態における椅子用座面１０の座面体２及び座面支持体６の構成及び作用は、上述した第一の実施形態の場合と同様であり、その作用効果も同様である。椅子の座面自体を第１の実施形態にかかる着座用クッション１と同様の構成にすることにより、着座者の骨盤が後傾するのを抑制し、骨盤が直立又はやや前傾した状態の正しい座位姿勢を保持させると共に、疲れにくく、正しい座位姿勢を長時間保持することができる椅子が得られる。
【実施例】
【００３７】
以下、実施例を用いて、本発明を詳細に説明する。以下の実施例及び比較例における各着座用クッションの物性の測定方法は下記の通りである。
【００３８】
（１）骨盤の傾斜角度
骨盤の傾斜角度を測定するため、図１０（ａ）に示す測定装置を準備した。この測定装置は、脊柱を模した鋼管Ａと臀部模型Ｃとを自在継手Ｂを介して連結したものである。鋼管Ａには自在継手Ｂから２１ｃｍ離れた位置に１３ｋｇの平板錘Ｄを取り付けし、着座者として身長１２５ｃｍ、体重２７ｋｇ（８歳程度）の児童を想定した。臀部模型Ｃに対する鋼管Ａの取り付け位置は、臀部模型Ｃの背中側端部から７０ｍｍの位置とした。なお、図１０（ｂ）に示すように、臀部模型ＣはＪＩＳ  Ｓ１２０３の座面当て板の形状とし、この座面当て板の寸法を７０％に相似縮小したものであり、座骨結節間の距離Ｌが８０ｍｍのものを用いた。着座用クッションの上面に対し、この測定装置の鋼管Ａによる脊柱角度を垂直（９０°）とした状態で、試験対象のクッションの上に載せ、臀部模型Ｃの上面の傾斜角度θ１を骨盤の傾斜角度として求めた。傾斜角度θ１が０°で骨盤直立姿勢、傾斜角度θ１が正の値で骨盤前傾姿勢、傾斜角度θ１が負の値で骨盤後傾姿勢と評価した。
（２）座面体との接触面積
試験対象のクッションの上面に厚さ約０．５ｍｍのシート状圧力分布測定装置（ＸＳＥＮＳＯＲ  Ｔｅｃｈｎｏｌｏｇｙ社製、型番：ＸＳＥＮＳＯＲ  ＰＸ１００．３６．３６．０２）を敷設した。この上に上述した測定装置の鋼管Ａによる脊柱角度を垂直（９０°）とした状態で載せて５分間放置し、臀部模型Ｃと試験対象のクッションの座面体上面との接触面積を測定した。なお、臀部模型Ｃは（１）骨盤の傾斜角度の測定に用いたものと同じである。
【００３９】
［実施例１]
厚さ２０ｍｍ、幅４０ｃｍ、奥行３０ｃｍのポリエチレン発泡体［ＪＩＳ  Ｋ６２５３準拠のＥ硬度４０、旭化成株式会社製品、型番：サンテックフォームＱ１５］を準備し、その厚さ方向を貫通する切込み線を、図１１（ａ）に示す切り込み線３ａ，３ｂの切り込みパターンで形成し、座面体を得た。厚さ２０ｍｍ、幅４０ｃｍ、奥行３０ｃｍのポリウレタン発泡体［ＪＩＳ  Ｋ６４００−２  Ａ法の硬度１２０Ｎ（ＪＩＳ  Ｋ６２５３準拠のＥ硬度０）、ブリジストン化成品株式会社製品、型番：エバーライトＥＯ］を下層の座面支持体とし、座面体と座面支持体とを上下に積層させて実施例１の着座用クッションを得た。この着座用クッションについて物性の測定を行った。
【００４０】
［比較例１]
厚さ２０ｍｍ、幅４０ｃｍ、奥行３０ｃｍのポリエチレン発泡体［ＪＩＳ  Ｋ６２５３準拠のＥ硬度４０、旭化成株式会社製品、型番：サンテックフォームＱ１５］を準備し、切り込み線は施さずにそのまま座面体とした。厚さ２０ｍｍ、幅４０ｃｍ、奥行３０ｃｍのポリウレタン発泡体［ＪＩＳ  Ｋ６４００−２  Ａ法の硬度１２０Ｎ（ＪＩＳ  Ｋ６２５３準拠のＥ硬度０）、ブリジストン化成品株式会社製品、型番：エバーライトＥＯ］を下層の座面支持体とし、座面体と座面支持体とを上下に積層させて比較例１の着座用クッションを得た。この着座用クッションについて物性の測定を行った。
【００４１】
［比較例２]
厚さ２０ｍｍ、幅４０ｃｍ、奥行３０ｃｍのポリウレタン発泡体［ＪＩＳ  Ｋ６４００−２  Ａ法の硬度２５０Ｎ（ＪＩＳ  Ｋ６２５３準拠のＥ硬度０）、ブリジストン化成品株式会社製品、型番：エバーライトＧＳ］を準備し、切り込み線は施さずにそのまま座面体とした。この座面体と材質及び寸法が同じポリウレタン発泡体を下層の座面支持体とし、座面体と座面支持体とを上下に積層させて比較例２の着座用クッションを得た。この着座用クッションについて物性の測定を行った。
【００４２】
［実施例２]
実施例１において、下層の座面支持体を構成するポリウレタン発泡体として、ＪＩＳ  Ｋ６４００−２  Ａ法の硬度２５０Ｎ（ＪＩＳ  Ｋ６２５３準拠のＥ硬度０）、ブリジストン化成品株式会社製品、型番：エバーライトＧＳを用いた以外は、実施例１と同様にして実施例２の着座用クッションを得た。この着座用クッションについて物性の測定を行った。
【００４３】
［実施例３]
実施例２について、座面体を構成するポリエチレン発泡体として、ＪＩＳ  Ｋ６２５３準拠のＥ硬度２３、旭化成株式会社製品、型番：サンテックフォームＱ２５を用いた以外は、実施例２と同様にして実施例３の着座用クッションを得た。この着座用クッションについて物性の測定を行った。
【００４４】
［実施例４]
実施例２について、座面体に形成した切り込み線３ａ、３ｂの切り込みパターンを図１１（ｂ）に示すものとした以外は、実施例２と同様にして実施例４の着座用クッションを得た。この着座用クッションについて物性の測定を行った。
【００４５】
［実施例５]
実施例３について、座面体に形成した切り込み線３ａ、３ｂの切り込みパターンを図１１（ｂ）に示すものとした以外は、実施例３と同様にして実施例５の着座用クッションを得た。この着座用クッションについて物性の測定を行った。
【００４６】
［実施例６]
実施例１について、座面体を構成するポリエチレン発泡体として、ＪＩＳ  Ｋ６２５３準拠のＥ硬度２３、旭化成株式会社製品、型番：サンテックフォームＱ２５を用いた以外は、実施例１と同様にして実施例６の着座用クッションを得た。この着座用クッションについて物性の測定を行った。
【００４７】
［実施例７]
実施例１について、座面体に形成した切り込み線３ａ、３ｂの切り込みパターンを図１１（ｂ）に示すものとした以外は、実施例１と同様にして実施例７の着座用クッションを得た。この着座用クッションについて物性の測定を行った。
【００４８】
［実施例８]
実施例６について、座面体に形成した切り込み線３ａ、３ｂの切り込みパターンを図１１（ｂ）に示すものとした以外は、実施例６と同様にして実施例８の着座用クッションを得た。この着座用クッションについて物性の測定を行った。
【００４９】
実施例１〜５の結果を表１に、実施例６〜８及び比較例１〜２の結果を表２にそれぞれ示す。なお、各表中、座面体を形成する合成樹脂発泡体の硬度と、座面支持体を形成する合成樹脂発泡体の硬度との大小関係を明確にするため、主に座面支持体として用いたポリウレタン発泡体の硬度については、ＪＩＳ  Ｋ６４００−２  Ａ法による硬度と、ＪＩＳ  Ｋ６２５３準拠のＥ硬度とを併記した。
【００５０】
【表１】
2020028553.tif 000003
【００５１】
【表２】
2020028553.tif 000004
【００５２】
実施例１〜８と比較例１との比較から、切り込み線３ａ、３ｂを座面体に設けて着座変形部を形成することにより、臀部模型上面の傾斜角度θ１は正の値となり、骨盤が直立又はやや前傾した状態を維持しつつ接触面積が大きく向上することが示された。また、従来の軟質ウレタン発泡体のみから構成された比較例２に係るクッションでは、傾斜角度θ１が負の値となっており、骨盤が後傾して座姿勢が悪くなることが分かった。
【００５３】
実施例１と７、実施例２と４、実施例３と５、実施例６と８とのそれぞれの比較から、
切り込み線３（３ａ、３ｂ）による切り込みパターン形状のうち、臀部・太腿裏支持部切り込み線３ｂについて、座面体の幅方向の中心線近傍には設けずに中央部分で分割したパターン形状とすることにより、接触面積が向上することが示された。
【００５４】
また、実施例１と６、実施例２と３、実施例４と５、実施例７と８とのそれぞれの比較から、切り込み線３ａ、３ｂによる着座変形部を設けた座面体は、本実施例で用いた合成樹脂発泡体の硬度の範囲において、いずれも傾斜角度θ１が正の値を示していることから骨盤前傾姿勢をとりやすく、硬度が小さい座面体材料を選択しても骨盤前傾姿勢を保ちながら接触面積が向上することが示された。
【００５５】
また、実施例１と２、実施例６と３、実施例７と４、実施例８と５とのそれぞれの比較から、座面支持体の硬度が大きくなると、座面体の着座変形部の押出変形への反発力が大きくなるため、着座変形部の押出変形量が小さくなるように調整され、傾斜角度θ１がより大きな正の値となり骨盤後傾姿勢の抑制効果が大きいことがわかった。また、座面支持体の硬度が小さく軟質な材料を選択することで、傾斜角度θ１が正の値を保ちつつ（骨盤前傾姿勢を保ちつつ）、座面体２における接触面積が大きく向上することが示された。すなわち、下層の座面支持体を構成する材料の硬度を選択することにより、座面体２との接触面積が調整でき、クッション１の安定感や座り心地を向上させることができることがわかった。
【００５６】
本発明は、上記の実施形態に限定されるものでなく、特許請求の範囲に記載された発明の要旨を逸脱しない範囲内での種々、設計変更した形態を技術的範囲に含むものである。
【符号の説明】
【００５７】
１  着座用クッション
１０  椅子用座面
２  座面体
３  切り込み線
３ａ  座骨支持部切り込み線
３ｂ  臀部・太腿裏支持部切り込み線
４  着座変形部
４ａ  座骨支持部
４ｂ  臀部・太腿裏支持部
４ｂ１  太腿裏支持部
４ｂ２  臀部支持部
５  帯状部
６  座面支持体
Ｓ  座面体の幅方向の中心線
Ｐ  骨盤
Ｇ  支持基底面
Ｈ  座骨
Ｉ  座骨結節
Ｌ  座骨結節間の長さ
Ｍ  渦巻きの中心を通る線
Ａ  鋼管
Ｂ  自在継手
Ｃ  臀部模型
Ｄ  錘
【図１】
2020028553.tif 000005
【図２】
2020028553.tif 000006
【図３】
2020028553.tif 000007
【図４】
2020028553.tif 000008
【図５】
2020028553.tif 000009
【図６】
2020028553.tif 000010
【図７】
2020028553.tif 000011
【図８】
2020028553.tif 000012
【図９】
2020028553.tif 000013
【図１０】
2020028553.tif 000014
【図１１】
2020028553.tif 000015
【図１２】
2020028553.tif 000016